(57)【要約】【課題】トルクが小さくて、かつ、シールリップの寿命が長い密封装置を提供することにある。【解決手段】パックシール型の第１密封装置８の弾性部材５１を、芯金部材５０に固着された基部５３と、基部５３から延在して、スリンガ５２の固定部６５に間隔をおいた状態でフランジ部６６に摺動する環状の第１および第２アキシアルリップ５４,５５とで構成する。第１および第２アキシアルリップ５４,５５のフランジ部６６側の端面に、軸方向の位置が略同一である一方、周方向に互いに間隔をおいて位置する複数の略同一の突起部８０,８１を形成する。【選択図】図３
2010281386.tif 000002
【特許請求の範囲】
【請求項１】
筒状の固定部、および、この固定部から略上記固定部の径方向に延在する径方向延在部を有する芯金部材と、上記芯金部材に固定された弾性部材とを有するシール部材と、
筒状の固定部と、この固定部の軸方向の一端部から略上記径方向に延在するフランジ部とを有するスリンガと
を備え、
上記弾性部材は、
上記芯金部材の上記径方向延在部に固定された基部と、
上記スリンガの上記固定部に間隔をおいた状態で、上記基部から延在して上記フランジ部に摺動する一以上の環状のアキシアルリップと
からなり、
上記各アキシアルリップは、そのアキシアルリップの上記フランジ部側の表面に、上記軸方向の位置が略同一である一方、そのアキシアルリップの周方向に互いに間隔をおいて位置する複数の突起部を有していることを特徴とする密封装置。
【請求項２】
請求項１に記載の密封装置において、
上記一以上のアキシアルリップは、
上記基部から延在して、上記フランジ部に摺動する第１アキシアルリップと、
上記スリンガの上記固定部に間隔をおいた状態で上記第１アキシアルリップと上記スリンガの上記固定部との間に位置して、上記フランジ部に摺動する第２アキシアルリップと
からなり、
上記第２アキシアルリップは、
上記基部から上記径方向の上記スリンガの上記固定部側かつ上記軸方向の上記フランジ部側に延在する第１部分と、
上記第１部分の上記軸方向のフランジ部側の先端から上記径方向の上記芯金部材の上記固定部側かつ上記軸方向の上記フランジ部側に延在して、上記フランジ部に摺動する第２部分と
からなることを特徴とする密封装置。
【請求項３】
請求項１または２に記載の密封装置と、
軌道面を有する内輪と、
軌道面を有する外輪と、
上記内輪の上記軌道面と上記外輪の上記軌道面との間に配置された複数の転動体と
を備え、
上記密封装置は、上記内輪の外周面と上記外輪の内周面とで画定されて、上記複数の転動体が配置される転動体配置室における上記軸方向の少なくとも一方の側の開口を密封するように配置され、
上記密封装置の上記スリンガは、上記内輪に固定され、
上記密封装置の上記シール部材は、上記外輪に固定されていることを特徴とする転がり軸受。
【請求項４】
請求項１または２に記載の密封装置と、
軌道面を有する内軸と、
上記内軸に固定されると共に、軌道面を有する内輪と、
第１軌道面と第２軌道面とを有する外輪と、
上記内軸の上記軌道面と上記第１軌道面との間に配置された複数の第１転動体と、
上記内輪の上記軌道面と上記第２軌道面との間に配置された複数の第２転動体と
を備え、
上記密封装置は、上記外輪の内周面と、上記内軸の外周面および上記内輪の外周面において上記外輪の内周面に上記径方向に対向している部分とで画定されて、上記複数の第１転動体および上記複数の第２転動体が配置される転動体配置室における上記軸方向の少なくとも一方の側の開口を密封するように配置され、
上記密封装置の上記スリンガは、上記内輪または上記内軸に固定され、
上記密封装置の上記シール部材は、上記外輪に固定されていることを特徴とする車輪用転がり軸受。
【発明の詳細な説明】
【技術分野】
【０００１】
本発明は、密封装置に関する。また、本発明は、密封装置を備える転がり軸受および車輪用転がり軸受に関する。
【背景技術】
【０００２】
従来、密封装置としては、特開２００３−３１４６９８号公報（特許文献１）に記載されているものがある。
【０００３】
この密封装置は、所謂パックシールであり、芯金部材と、芯金部材に固定された弾性部材と、断面Ｌ字状のスリンガとを備える。上記スリンガは、軸方向に延在する軸方向延在部と、径方向に延在するフランジ部とからなる。上記弾性部材は、上記軸方向延在部に常に摺動するラジアルリップと、上記フランジ部に摺動する第１アキシアルリップと、第１アキシアルリップの径方向の内方に位置すると共に、上記フランジ部に摺動する第２アキシアルリップとを有している。
【特許文献１】特開２００３−３１４６９８号公報（第１図）
【発明の開示】
【発明が解決しようとする課題】
【０００４】
上記背景において、車両等の燃費を低減するために、車両等が備えるパックシールのトルクの大幅な低減が所望されている。
【０００５】
本発明者等は、以下に詳述するように、パックシールにおいて、ラジアルリップの摺接に起因して発生するトルクが、アキシアルリップの摺接に起因して発生するトルクよりも格段に大きいことを発見した。
【０００６】
しかしながら、本発明者は、トルクを大幅に低減するために、ラジアルリップを省略すると、次に示す課題が発生することを発見した。
【０００７】
すなわち、本発明者は、上記ラジアルリップを省略した場合、密封装置で密封された空間の温度が上昇したときに、密封空間内の空気が密封装置を通過して外に排出されるため、その後、密封空間内の温度が下がった際に、上記密封空間内の圧力が大気圧に対して負圧になって、上記アキシアルリップの先端がフランジ部に強く押し付けられる現象が発生することを発見した。そして、この現象によって、アキシアルリップの先端が異常に摩耗して、アキシアルリップの寿命が短くなったり、昇温したり、異音が発生したり、また、アキシアルリップのフランジ部に対する高い接触面圧に起因してトルクが高くなることがあることを発見した。
【０００８】
そこで、本発明の課題は、トルクが小さくて、かつ、シールリップの寿命が長い密封装置を提供することにある。
【課題を解決するための手段】
【０００９】
上記課題を解決するため、この発明の密封装置は、
筒状の固定部、および、この固定部から略上記固定部の径方向に延在する径方向延在部を有する芯金部材と、上記芯金部材に固定された弾性部材とを有するシール部材と、
筒状の固定部と、この固定部の軸方向の一端部から略上記径方向に延在するフランジ部とを有するスリンガと
を備え、
上記弾性部材は、
上記芯金部材の上記径方向延在部に固定された基部と、
上記スリンガの上記固定部に間隔をおいた状態で、上記基部から延在して上記フランジ部に摺動する一以上の環状のアキシアルリップと
からなり、
上記各アキシアルリップは、そのアキシアルリップの上記フランジ部側の表面に、上記軸方向の位置が略同一である一方、そのアキシアルリップの周方向に互いに間隔をおいて位置する複数の突起部を有していることを特徴としている。
【００１０】
上述の現象によって、密封空間が負圧になって、アキシアルリップがフランジ部に強く押圧された場合に、複数の突起部がフランジ部に接触するように、上記複数の突起部を、アキシアルリップに配置する。
【００１１】
本発明によれば、上記環状のアキシアルリップが有する複数の突起部の軸方向の位置が略同一である一方、上記複数の突起部が、周方向に互いに間隔をおいて位置しているから、密封空間の負圧が大きくなって、複数の突起部が、フランジ部に接触した場合に、上記アキシアルリップにおいて周方向において隣接する上記突起部の間に位置する部分とフランジ部との間に隙間を形成することができる。したがって、密封空間の負圧が大きくなった場合に、上記隙間を通じて密封装置の内外部間で空気のやり取りができるから、瞬時に密封空間の負圧を解消できて、瞬時にアキシアルリップのフランジ部に対する面圧を軽減できる。したがって、上記負圧に起因するアキシアルリップの異常摩耗を防止でき、かつ、昇温、異音の発生およびトルクの増大を抑制できる。
【００１２】
また、一実施形態では、
上記一以上のアキシアルリップは、
上記基部から延在して、上記フランジ部に摺動する第１アキシアルリップと、
上記スリンガの上記固定部に間隔をおいた状態で上記第１アキシアルリップと上記スリンガの上記固定部との間に位置して、上記フランジ部に摺動する第２アキシアルリップと
からなり、
上記第２アキシアルリップは、
上記基部から上記径方向の上記スリンガの上記固定部側かつ上記軸方向の上記フランジ部側に延在する第１部分と、
上記第１部分の上記軸方向のフランジ部側の先端から上記径方向の上記芯金部材の上記固定部側かつ上記軸方向の上記フランジ部側に延在して、上記フランジ部に摺動する第２部分と
からなる。
【００１３】
本発明者等は、芯金部材、弾性部材および断面Ｌ字状のスリンガを有する所謂パックシール型の密封装置であって、ラジアルリップを２つ有すると共に、アキシアルリップを１つ有する密封装置において、全てのリップについて、リップの接触荷重に起因するトルクの大きさを調査した。その結果、２つのラジアルリップの接触荷重に起因するトルクの全トルクに対する割合が、８割程度にも達し、トルクの大部分は、ラジアルシールの接触荷重に起因するものであることを発見した。
【００１４】
本発明によれば、上記弾性部材がスリンガの固定部と非接触な状態になっていて、ラジアルリップが存在しない状態になっているから、トルクを急激に低減することができる。したがって、この密封装置を有する自動車等の燃費を低減できる。
【００１５】
また、上記実施形態によれば、径方向の内方の第２アキシアルリップが、基部から径方向のスリンガの固定部側かつ軸方向のフランジ部側に延在する第１部分と、その第１部分の軸方向のフランジ部側の先端から径方向の芯金部材の固定部側かつ軸方向の上記フランジ部側に延在して、フランジ部に摺動する第２部分とからなるから、第１部分と第２部分との接続部と、スリンガの固定部との距離を小さくできる。したがって、上記接続部と、上記スリンガの固定部とでラビリンスシールを構成できて、密封性能を向上できる。また、第２アキシアルリップが予め定められた量以上摩耗して、第２アキシアルリップがスリンガの固定部の方に移動した場合に、上記接続部が上記スリンガの固定部に接触するようにすると、第２アキシアルリップの接触荷重が小さくなった場合でも、上記接続部と上記スリンガの固定部との間で内外部の間を密封することができて、密封性能の低下を抑制できる。
【００１６】
また、本発明の転がり軸受は、
本発明の密封装置と、
軌道面を有する内輪と、
軌道面を有する外輪と、
上記内輪の上記軌道面と上記外輪の上記軌道面との間に配置された複数の転動体と
を備え、
上記密封装置は、上記内輪の外周面と上記外輪の内周面とで画定されて、上記複数の転動体が配置される転動体配置室における上記軸方向の少なくとも一方の側の開口を密封するように配置され、
上記密封装置の上記スリンガは、上記内輪に固定され、
上記密封装置の上記シール部材は、上記外輪に固定されている。
【００１７】
本発明によれば、本発明の密封装置を備えるから、運転時において、密封空間である転動体配置室の負圧に起因するアキシアルリップの異常摩耗を防止でき、かつ、昇温、異音の発生およびトルクの増大を抑制できる。
【００１８】
また、本発明の車輪用転がり軸受は、
本発明の密封装置と、
軌道面を有する内軸と、
上記内軸に固定されると共に、軌道面を有する内輪と、
第１軌道面と第２軌道面とを有する外輪と、
上記内軸の上記軌道面と上記第１軌道面との間に配置された複数の第１転動体と、
上記内輪の上記軌道面と上記第２軌道面との間に配置された複数の第２転動体と
を備え、
上記密封装置は、上記外輪の内周面と、上記内軸の外周面および上記内輪の外周面において上記外輪の内周面に上記径方向に対向している部分とで画定されて、上記複数の第１転動体および上記複数の第２転動体が配置される転動体配置室における上記軸方向の少なくとも一方の側の開口を密封するように配置され、
上記密封装置の上記スリンガは、上記内輪または上記内軸に固定され、
上記密封装置の上記シール部材は、上記外輪に固定されていることを特徴としている。
【００１９】
本発明によれば、本発明の密封装置を備えるから、運転時において、密封装置に密封された密封空間の負圧に起因するアキシアルリップの異常摩耗を防止でき、かつ、昇温、異音の発生およびトルクの増大を抑制できる。
【発明の効果】
【００２０】
本発明の密封装置によれば、環状のアキシアルリップが有する複数の突起部の軸方向の位置が略同一である一方、上記複数の突起部が、周方向に互いに間隔をおいて位置しているから、密封空間の負圧が大きくなって、複数の突起部が、フランジ部に接触した場合に、上記アキシアルリップにおいて周方向において隣接する上記突起部の間に位置する部分とフランジ部との間に隙間を形成することができて、この隙間を通じた空気のやり取りによって、瞬時に密封空間の負圧を解消できる。したがって、瞬時にアキシアルリップのフランジ部に対する面圧を軽減できて、上記負圧に起因するアキシアルリップの異常摩耗を防止でき、かつ、昇温、異音の発生およびトルクの増大を抑制できる。
【００２１】
また、本発明の密封装置によれば、弾性部材がスリンガの固定部と非接触な状態になっていて、ラジアルリップが存在しない状態になっているから、トルクを急激に低減することができる。したがって、この密封装置を有する自動車等の燃費を低減できる。
【発明を実施するための最良の形態】
【００２２】
以下、本発明を図示の形態により詳細に説明する。
【００２３】
図１は、本発明の一実施形態の車輪用転がり軸受の軸方向の断面図である。
【００２４】
この車輪用転がり軸受は、内軸２、外輪３、内輪４、複数の第１の玉５、複数の第２の玉６、本発明の一実施形態の第１密封装置８、および、本発明の一実施形態の第２密封装置９を備える。上記第１の玉５は、第１転動体を構成し、第２の玉６は、第２転動体を構成する。
【００２５】
上記内軸２は、軸方向の一端部に、ブレーキディスク１１を取り付けるための径方向に広がる円板状のブレーキディスク取付用フランジ１０を有する。このブレーキディスク取付用フランジ１０の略中心を中心とする同心円上には、複数のボルト貫通穴が形成されている。上記ブレーキディスク取付用フランジ１０に、ブレーキディスク１１を当接させ、さらに、ブレーキディスク１１にホイール部材１３を当接させた状態で、ホイール部材１３のブレーキディスク１１側とは反対側の端面と、ブレーキディスク取付用フランジ１０との間を、複数のボルト１５で固定している。
【００２６】
上記内軸２の軸方向の他端部には、内輪４が外嵌されて固定されている。上記内軸２における、内輪４と、ブレーキディスク取付用フランジ１０との間には、軌道面としてのアンギュラ型の軌道溝１６が形成されている。また、上記内輪４の外周面には、軌道面としてのアンギュラ型の軌道溝１７が形成されている。
【００２７】
上記外輪３は、内軸２におけるブレーキディスク取付用フランジ１０よりも上記他端部側に、内軸２に径方向に対向するように、配置されている。上記外輪３は、軸方向の上記他端部側に、径方向に広がる車体側取付用フランジ１４を有する。この円板状の車体側取付用フランジ１４には、車体側取付用フランジ１４を車体側（ナックル）に取り付けるボルトを挿入するためのボルト貫通穴が複数形成されている。上記外輪３は、外輪３の内周面に軸方向に離間配置された第１軌道面としてのアンギュラ型の第１軌道溝２６および第２軌道面としてのアンギュラ型の第２軌道溝２７を有している。上記第１軌道溝２６は、第２軌道溝２７よりも上記一端部側に位置している。
【００２８】
上記複数の第１の玉５は、内軸２の軌道溝１６と外輪３の第１軌道溝２６との間に、保持器１８に保持された状態で、周方向に所定の間隔を隔てられて配置されている。また、上記複数の第２の玉６は、内輪４の軌道溝１７と外輪３の第２軌道溝２７との間に、保持器１９に保持された状態で、周方向に所定の間隔を隔てられて配置されている。
【００２９】
上記第１密封装置８は、内軸２と外輪３との間における、軸方向の上記一端部側（ブレーキディスク取付用フランジ１０側）の開口付近に配置されている。上記第１密封装置８は、内軸２と外輪３との間における上記一端部側の開口を密封している。一方、上記第２密封装置９は、内輪４と外輪３との間における、軸方向の上記他端部側（ブレーキディスク取付用フランジ１０側とは反対側）の開口付近に配置されている。上記第２密封装置９は、内輪４と外輪３との間における上記他端部側の開口を密封している。上記第２密封装置９は、第１密封装置８と同一な構造を有している。
【００３０】
図２および図３は、上記第１密封装置８の構造を、詳細に説明する断面図である。詳しくは、図２は、組み付け位置での、芯金部材５０、弾性部材５１およびスリンガ５２の位置関係を示す軸方向の断面図である。図２では、弾性部材５１の位置として、弾性部材５１がスリンガ５２から力を受けないと仮定した場合における、弾性部材の組み付け位置での位置を示している。一方、図３は、弾性部材５１をスリンガ５２に組み付けた状態で、かつ、弾性部材５１が摩耗していない非摩耗状態での、弾性部材５１の位置と、スリンガ５２の位置とを示す断面図である。
【００３１】
上記第２密封装置９は、第１密封装置８と同一の構造を有している。上記第２密封装置９は、図２および図３において軸方向の左右を反転させた状態で、内輪４と外輪３との間における、軸方向の上記他端部側の開口付近に配置されている。上記第２密封装置９についての説明は、第１密封装置８の説明をもって省略する。
【００３２】
図２に示すように、第１密封装置（以下、単に密封装置という）８は、所謂パックシールであり、芯金部材５０と、弾性部材５１と、スリンガ５２とを有する。上記芯金部材５０と弾性部材５１とは互いに固定されて一体になっている。上記芯金部材５０および弾性部材５１は、シール部材４８を構成している。
【００３３】
上記芯金部材５０は、環状に形成されている。上記芯金部材５０は、断面Ｌ字状の形状を有している。芯金部材は、筒状の固定部６０と、径方向延在部６１からなる。上記固定部６０は、外輪３（図１参照、図２には、図示せず）の内周面に内嵌されて固定されている。上記径方向延在部６１は、固定部６０の内周面における軸方向の上記他端部側（図２の紙面における左側）から径方向の内方に延在している。
【００３４】
上記スリンガ５２は、環状に形成されている。上記スリンガ５２は、断面Ｌ字状の形状を有している。上記スリンガ５２は、筒状の固定部６５と、固定部６５につながるフランジ部６６とを有する。上記固定部６５は、内軸２の外周面に外嵌されて固定されている。尚、上記第２密封装置９においては、スリンガが固定される部材が、内輪４であることは言うまでもない。上記フランジ部６６は、固定部６５の外周面の軸方向の外方側（紙面における右側）の端部から径方向の外方側に延在している。上記フランジ部６６は、芯金部材５０の径方向延在部６１よりも軸方向の外方に位置している。上記フランジ部６６において径方向の内方の一部を除いた大部分は、径方向延在部６１に対して隙間を介して軸方向に対向している。
【００３５】
上記弾性部材５１は、環状に形成されている。上記弾性部材５１は、固定部６０の内周面全面と、固定部６０の内周面につながる径方向延在部６１の軸方向の外方側の端面の全面とを覆うように、芯金部材５０に固着されている。上記弾性部材５１は、基部５３と、第１アキシアルリップ５４と、第２アキシアルリップ５５とを有する。上記弾性部材５１は、具体的には、ゴム材からなる。ゴム材としては、例えば、ニトリルゴム、水素化ニトリルゴム、アクリルゴム、シリコンゴム、フッ素ゴムを、好適に用いることができる。
【００３６】
上記基部５３は、芯金部材５０の固定部６０の内周面および径方向延在部６１の軸方向の外方側の端面に沿うように配置されている。上記基部５３は、固定部６０の内周面および径方向延在部６１の外方側の端面に固着されている。上記第１アキシアルリップ５４は、基部５３から外輪３（図１参照）側かつ軸方向の外方側（フランジ部６６側）に延在している。
【００３７】
上記第２アキシアルリップ５５は、第１アキシアルリップ５４の径方向の内軸２（図１参照）側（径方向の内方側）に、第１アキシアルリップ５４に対して径方向に間隔をおいて位置している。上記第２アキシアルリップ５５は、第１部分５６と、第２部分５７とを有する。上記第１部分５６は、基部５３から径方向の内軸２側かつ軸方向の外方側に延在している。また、上記第２部分５７は、第１部分５６の軸方向の外方側の先端につながると共に、径方向の外輪３側かつ軸方向の外方側に延在している。
【００３８】
図２に示すように、弾性部材５１がスリンガ５２から力を受けないと仮定した場合の弾性部材５１の位置は、組み付け位置において、スリンガ５２と重なっている。詳しくは、上記弾性部材５１の第１アキシアルリップ５４の軸方向の外方の先端部、および、弾性部材５１の第２アキシアルリップ５５の軸方向の外方の先端部は、スリンガ５２のフランジ部６６と重なり、第２アキシアルリップ５５において、第１部分５６と第２部分５７との接続部の近傍（接続部を含む）に位置する屈曲部（第２アキシアルリップ５５において固定部６５に径方向に対向する部分の一部）９０は、スリンガ５２の固定部６５と重なっている。
【００３９】
また、図２に示すように、上記弾性部材５１がスリンガ５２に組み込まれる前の状態において、第１部分５６の径方向の内方の表面５８は、凹面である一方、第２部分５７の径方向の内方の表面５９は、円錐面になっている。また、軸方向の断面において、第１部分５６の径方向の内方の表面５８の曲率は、軸方向の外方（軸方向のフランジ部６６側）にいくにしたがって大きくなっている。具体的には、軸方向の断面において、上記第１部分５６の径方向の内方の表面５８は、基部５３側に位置する略円錐面状の部分と、この円錐面状の部分に滑らかにつながると共に、軸方向の外方（軸方向のフランジ部６６側）にいくにしたがって曲率が大きくなっている略回転楕円面の一部からなる部分とからなっている。
【００４０】
上記第２部分５７の径方向の内方の表面５９は、軸方向の断面において、一端から他端まで微分可能になっており、上記表面５９は、滑らかにつながっている。
【００４１】
図３に示すように、第１アキシアルリップ５４、および、第２アキシアルリップ５５の第２部分５７は、組み付け時において、車輪用転がり軸受の中心軸を略中心とするシール部材４８とスリンガ５２との相対回転により、スリンガ５２のフランジ部６６に摺動するようになっている。また、図３に示すように、組み付け状態、かつ、組込後の非摩耗状態において、上記第２アキシアルリップ５５は、スリンガ５２の固定部６５に対して径方向に間隔をおいて位置している。
【００４２】
すなわち、図２および図３に示すように、組み付け時に、芯金部材５０の径方向延在部６１とスリンガ５２のフランジ部６６とが接近するように、芯金部材５０とスリンガ５２とを軸方向に相対移動させることで、第１アキシアルリップ５４、および、第２アキシアルリップ５５の第２部分５７が、スリンガ５２のフランジ部６６の表面に沿って径方向の外方に移動することによって、第１部分５６と第２部分５７との間の屈曲部９０が、径方向の外方に移動して、屈曲部９０が、固定部６５の外周面から径方向の外方に浮上するようになっている。
【００４３】
本実施形態では、上記屈曲部９０を径方向の内方に押圧するガータースプリング等の締め付け部材がないから、屈曲部９０を容易かつ確実に、固定部６５の外周面から径方向に外輪３側に浮上させることができる。屈曲部を径方向の内方に押圧するガータースプリング等の締め付け部材があると、屈曲部が固定部の外周面から径方向の外輪側に浮上しない場合がある。
【００４４】
上述のように、上記弾性部材５１がスリンガ５２から力を受けないと仮定した場合の屈曲部９０の位置は、スリンガ５２の固定部６５に重なるように設定されている。上記第２アキシアルリップ５５の第２部分５７の摩耗によって、第２アキシアルリップ５５のフランジ部６６に対する接触荷重が所定力以上低下した状態で、屈曲部９０は、スリンガ５２の固定部６５に接触して、車輪用転がり軸受の中心軸を略中心とするシール部材４８とスリンガ５２との相対回転により、固定部６５に摺動するようになっている。すなわち、上記屈曲部９０は、第２アキシアルリップ５５の第２部分５７の摩耗によって、第２アキシアルリップ５５のフランジ部６６に対する接触荷重が所定力以上低下した状態で、ラジアルリップの役割を果たすようになっている。
【００４５】
図３に示すように、上記第１アキシアルリップ５４は、複数の略同一突起部８０を有し、第２アキシアルリップ５５は、複数の略同一の突起部８１を有する。尚、図２では、これらの突起部８０,８１の図示を、省略している。また、第１アキシアルリップおよび第２アキシアルリップの夫々において、アキシアルリップが有する複数の突起部は、必ずしも全て略同一の形状でなくても良い。
【００４６】
上記各突起部８０は、第１アキシアルリップ５４におけるフランジ部６６側の端面からスリンガ５２のフランジ部６６側に突出している。上記複数の突起部８０は、軸方向において、略同一の位置に存在している。また、上記複数の突起部８０は、環状の第１アキシアルリップ５４の周方向に互いに間隔をおいて位置している。
【００４７】
また、上記各突起部８１は、第２アキシアルリップ５５におけるフランジ部６６側の端面からスリンガ５２のフランジ部６６側に突出している。上記複数の突起部８１は、軸方向において、略同一の位置に存在している。また、上記複数の突起部８１は、環状の第２アキシアルリップ５５の周方向に互いに間隔をおいて位置している。
【００４８】
図４および図５は、上記第１アキシアルリップ５４の動作を模式的に示す図である。詳しくは、図４は、上記第１密封装置８で密封される第１の玉５および第２の玉６が配置される転動体配置室の気圧と、車輪用転がり軸受の外部の大気圧が略等しい状態での、第１アキシアルリップ５４の位置をしめす模式図である。また、図５は、上記転動体配置室の気圧が、車輪用転がり軸受の外部の気圧よりも小さい場合での、第１アキシアルリップ５４の位置を示す模式図である。
【００４９】
尚、図４および図５では、上記第１アキシアルリップ５４の動作を分かり易く説明するため、上記突起部８０を誇張して描いている。このため、図４および図５での第１アキシアルリップ５４の形状は、図２および図３での第１アキシアルリップ５４の形状と異なる形状になっている。
【００５０】
図４に示すように、上記第１アキシアルリップ５４は、スリンガ５２のフランジ部６６に対する摺動部８７を有する。この摺動部８７は、第１密封装置８で密封される転動体配置室内の気圧と、外部の気圧が略等しい状態では、フランジ部６６に対して摺動している。図４に示すように、上記各突起部８０は、摺動部８７よりも径方向の内方に位置している。
【００５１】
この車輪用転がり軸受の運転に伴って、転動体配置室内の温度が上昇した場合、転動体配置室内の空気が、第２アキシアルリップ５５および第１アキシアルリップ５４を通過して外部に放出する。したがって、その後、車輪用転がり軸受の停止時において、転動体配置室の内部温度が、外気温度まで低下した場合、転動体配置室の気圧が、外部の気圧に対して小さくなって、転動体配置室内の圧力が外部の大気圧に比して負圧になる。
【００５２】
このとき、上記第１アキシアルリップ５４は、この負圧によって、径方向の内方に引っ張られ、図５に示すように、摺動部８７がフランジ部６６から離間すると共に、突起部８０がスランジ部６６に接触するようになっている。
【００５３】
この時、上記第１アキシアルリップ５４において、周方向において突起部８０が存在しない部分、すなわち、上記第１アキシアルリップ５４において、周方向に隣接する突起部の間の部分とフランジ部６６との間に隙間が形成され、この隙間を介して、外部から転動体配置室側に負圧を解消する空気が流入する。
【００５４】
すると、負圧が解消されたことにより、第１アキシアルリップ５４の形状が、摺動部８７をフランジ部６６に摺接させる図４に示す状態に変形することになる。
【００５５】
このように、この実施形態の第１密封装置８では、負圧の発生によって、上記第１アキシアルリップ５４が、突起部８０がフランジ部６６に接触するように変形したとしても、瞬時に図４に示す状態に戻るようになっている。
【００５６】
尚、詳述しないが、上記第２アキシアルリップ５５は、第１アキシアルリップ５４と略同様に動作するようになっている。すなわち、上記第２アキシアルリップ５５も、第１アキシアルリップ５４と同様、第１密封装置８で密封される転動体配置室内の気圧と、外部の気圧が略等しい状態では、摺動部８８（図３参照）が、フランジ部６６に摺動する一方、転動体配置室内の気圧が、外部の圧力に対して負圧になった場合に、突起部８１がフランジ部６６に接触するように変形するようになっている。上記第２アキシアルリップ５５の動作の詳しい説明は、第１アキシアルリップ５４の動作の説明をもって省略する。
【００５７】
詳述しないが、上記第１アキシアルリップ５４と第２アキシアルリップ５５とスリンガ５２とで形成される空間や、第２アキシアルリップ５５とスリンガ５２とで囲まれた空間には、潤滑剤としての適量のグリースが封入または塗布されている。上記グリースによって第１アキシアルリップ５４とスリンガ５２との摺動部および第２アキシアルリップ５５とスリンガ５２との摺動部が潤滑されるようになっている。また、図３において、上記第２アキシアルリップ５５とスリンガ５２とで囲まれた領域につながると共に、第１密封装置８より軸方向の内方側（紙面における左側）に位置する転動体（この実施形態では玉５,６）が配置される転動体配置室には、潤滑剤（この実施形態ではグリース）が封入されている。
【００５８】
図６は、比較品の密封装置および上記実施形態の密封装置の夫々において、各リップが非摩耗な状態になっている場合において、各リップの全接触荷重に対する接触荷重の比と、比較品の密封装置の全接触荷重に対する上記実施形態の密封装置の全接触荷重の比を示す図である。図６に示す結果は、一実験例における結果である。
【００５９】
ここで、上記比較品の密封装置とは、図９に２７０で示す、芯金部材２５０、弾性部材２５１および断面Ｌ字状のスリンガ２５２を有する所謂パックシール型の密封装置であって、２つのラジアルリップ（補助リップ２７３および主リップ２７２）と、１つのアキシアルリップ２７１とを有する密封装置である。
【００６０】
図９に示された弾性部材２５１の位置は、スリンガ２５２に対する芯金部材２５０の相対位置が、組み付け状態での所定位置になっている状態において、弾性部材２５１がスリンガ２５２から力を受けないと仮定した場合での、弾性部材２５１の存在位置である。
【００６１】
図６に示すように、比較品の密封装置２７０においては、ラジアルリップ（２つの合計）の全接触荷重に対する接触荷重比が、８割にも達する一方、アキシアルリップの全接触荷重に対する接触荷重比は、２割程度になっている。このことから、ラジアルリップの接触荷重を低減できれば、トルクを大幅に低減することができる。
【００６２】
そして、２つのアキシアルリップを有するのみで、ラジアルリップを有さない上記実施形態の密封装置においては、全接触荷重の接触荷重比が、比較品の全接触荷重の４割にしか達しておらず、接触荷重を急激に低減することができる。
【００６３】
図７は、上記比較品の密封装置２７０と、上記実施形態の密封装置の夫々において、一実験例における、回転数と回転トルクとの関係を示す図である。尚、この試験は、上記実施形態の密封装置においても比較品の密封装置２７０においても潤滑剤を使用せずに行った。
【００６４】
図７に示す試験結果では、回転数が低い領域から高い領域にわたって、上記実施形態の密封装置のトルクは、比較品の密封装置のトルクの５割程度になっている。すなわち、上記実施形態の密封装置のトルクは、比較品の密封装置と比較して、急激に小さくなっている。
【００６５】
上記実施形態の密封装置によれば、第２アキシアルリップ５５のフランジ部６６に対する緊迫力が所定力以上低下する迄、弾性部材５１がスリンガ５２の固定部６５と非接触な状態になっていて、ラジアルリップが存在しない状態になっているから、第２アキシアルリップ５５のフランジ部６６に対する緊迫力が所定力以上低下する迄、ラジアルリップを有する密封装置と比較して、トルクを５０％程度急激に低減することができる。したがって、この密封装置を有する自動車等の燃費を低減することができて、この密封装置を有する自動車等のＣＯ２排出量を低減でき、地球温暖化の抑制に貢献できる。
【００６６】
また、上記実施形態の密封装置によれば、上記環状の第１および第２アキシアルリップ５４,５５が有する複数の突起部８０,８１の軸方向の位置が略同一である一方、上記複数の突起部８０,８１が、周方向に互いに間隔をおいて位置しているから、密封空間である転動体配置室内の負圧が大きくなって、複数の突起部８０,８１が、フランジ部６６に接触した場合に、第１および第２アキシアルリップ５４,５５において、周方向において隣接する突起部８０,８１の間に位置する部分とフランジ部６６との間に隙間を形成することができる。したがって、上記転動体配置室の負圧が大きくなった場合に、上記隙間を通じて第１および第２密封装置８,９の内外部間で空気のやり取りができるから、瞬時に上記転動体配置室の負圧を解消できて、瞬時に第１および第２アキシアルリップ５４,５５のフランジ部６６に対する面圧を軽減できる。したがって、上記負圧に起因する第１および第２アキシアルリップ５４,５５の異常摩耗を防止でき、かつ、昇温、異音の発生およびトルクの増大を抑制できる。
【００６７】
また、上記実施形態の密封装置によれば、上記第１部分５６の径方向の内方の表面５８が、弾性部材５１がスリンガ５２に組み込まれる前の組込前の状態で凹面であるから、第１部分が凸面である場合と異なり、組込状態の非摩耗状態において、第２アキシアルリップ５５を、スリンガ５２の固定部６５に対して非接触にするのに、第２アキシアルリップ５５の第１部分５６の基部５３側の一部分を、集中的かつ過度に変形させる必要がない。そして、上記第１部分５６全体を、その延在方向に略均等に変形させることによって、第２アキシアルリップ５５を、スリンガ５２の固定部６５に非接触にすることができる。すなわち、上記第１部分５６の一部に局所的で過大な応力がかかることがないから、第２アキシアルリップ５５の耐久力を格段に向上させることができて、密封装置の寿命を長くすることができる。
【００６８】
また、上記実施形態の密封装置によれば、上記第２部分５７の径方向の内方の表面５９は、組込前の状態で円錐面であるから、第２部分の径方向の内方の表面が凹面である場合と比較して、第２アキシアルリップ５５とスリンガ５２のフランジ部６６との接触面圧を小さくすることができて、第２アキシアルリップ５５の摩耗を抑制することができる。したがって、上記第２アキシアルリップ５５の上記屈曲部が、スリンガ５２の固定部６５に接触するまでの時間を、長くすることができて、第２部分の径方向の内方の表面が凹面である場合と比較して、トルクが格段に小さい状態を、長期に亘って持続することができる。
【００６９】
また、上記実施形態の密封装置によれば、上記第２部分５７の径方向の内方の表面５９が、滑らかにつながっているから、組込時に第２アキシアルリップ５５の変形に起因して生じる応力を、第２部分５７の全体に略均等に分配することができて、第２部分５７の全体に均等に負担させることができる。また、組込時に上記第２アキシアルリップ５５を、径方向の外方に容易に変形させることができ、かつ、第２アキシアルリップ５５の非摩耗状態において、第２アキシアルリップ５５と、スリンガ５２の固定部６５との間に、所定のクリアランスを容易かつ正確に生成することができる。
【００７０】
また、上記実施形態の密封装置によれば、組込前の状態において、軸方向の断面において、上記第１部分５６の径方向の内方の面の曲率が、軸方向の外方にいくにしたがって大きくなっているから、組込時に第２アキシアルリップ５５の変形に起因して生じる応力を、第１部分５６の全体に略均等に分配することができて、第２部分５７の全体に均等に負担させることができる。したがって、上記第１部分５６に局所的な応力の集中が発生することを確実に防止することができて、密封装置の寿命を更に延ばすことができる。
【００７１】
また、上記実施形態の密封装置によれば、上記第２アキシアルリップ５５の第２部分５７の摩耗によって、第２アキシアルリップ５５のフランジ部６６に対する接触荷重が所定力以上低下した状態で、第２アキシアルリップ５５の屈曲部９０が、スリンガ５２の固定部６５に接触して、固定部６５に摺動するようになっているから、第２アキシアルリップ５５の摩耗がすすんだとしても、外部からの泥水が、車輪用転がり軸受において玉８,９が配置されている転動体配置室に、浸入することを抑制できる。
【００７２】
また、上記実施形態の密封装置によれば、上記第２アキシアルリップ５５が受ける力が、スリンガ５２からの力だけであって、第２アキシアルリップ５５においてスリンガ５２の固定部６５に対向している部分を、スリンガ５２の固定部６５に押し付けようとするガータースプリング等の締め付け部材がない。したがって、第２アキシアルリップにおいてスリンガの固定部に対向している部分を、スリンガの固定部に押し付けようとするガータースプリング等の締め付け部材がある場合と比較して、上記第２アキシアルリップ５５をスリンガ５２のフランジ部６６に押し付ける組立時において、スリンガ５２の固定部６５に対向している部分を、上記固定部６５に対して離間させ易くすることができる。
【００７３】
また、上記実施形態の車輪用転がり軸受によれば、運転時において、第１および第２密封装置８,９のトルクを小さくすることができて、この車輪用転がり軸受を有する自動車等の車両の燃費を小さくすることができる。また、上記第１および第２密封装置８,９のアキシアルリップの異常摩耗を防止でき、かつ、昇温、異音の発生およびトルクの増大を抑制できる。
【００７４】
尚、上記実施形態の密封装置では、アキシアルリップ５４,５５の数が、二つであったが、この発明では、アキシアルリップの数が、一または三以上であっても良い。尚、この発明では、密封装置が有する全てのアキシアルリップに突起部が存在しなくてはならないことは、言うまでもない。突起部を有さないアキシアルリップが一つでもあれば、そのアキシアルリップの内外の気圧差を容易に緩和できないからである。
【００７５】
また、上記実施形態の密封装置では、上記第２部分５７の径方向の内方の表面５９は、組込前の状態で円錐面であったが、この発明では、第２部分の径方向の内方の表面は、組込前の状態で凸面であっても良い。
【００７６】
また、上記実施形態の密封装置では、軸方向の断面において、上記第１部分５６の径方向の内方に位置する凹面である表面５８は、基部５３側に位置する略円錐面状の部分と、この円錐面状の部分に滑らかにつながると共に、軸方向の外方（フランジ部６６側）にいくにしたがって曲率が大きくなっている略回転楕円面の一部からなる部分とからなっていた。しかしながら、この発明では、軸方向の断面において、第１部分の径方向の内方に位置する表面全体が、円錐面、または、軸方向の外方（フランジ部側）にいくにしたがって曲率が大きくなっている回転楕円面の一部からなる部分であっても良い。この発明では、第１部分の径方向の内方に位置する表面は、軸方向の断面において、軸方向の外方（フランジ部側）にいくにしたがって曲率が大きくなっている形状であれば、如何なる形状であっても良い。
【００７７】
また、上記実施形態の密封装置では、上記第２アキシアルリップ５５が所定以上摩耗した状態で、第２アキシアルリップ５５の第１部分５６と第２部分５７との屈曲部９０が、スリンガ５２の固定部６５に接触するようになっていたが、この発明では、各アキシアルリップが如何に摩耗使用とも、最内方に位置するアキシアルリップが、スリンガの固定部に接触しない構成であっても良い。
【００７８】
また、上記車輪用転がり軸受では、転動体配置室の軸方向の両側の開口の近傍に、本発明の一実施形態の密封装置８,９が配置されていたが、本発明の密封装置は、車輪用転がり軸受の転動体配置室（潤滑剤封入室）の軸方向の片側の開口の近傍のみに配置されても良い。尚、転動体は、玉でなくて、ころであっても良い、また、玉ところの両方であっても良い。転動体が、ころであるとは、転動体が、円錐ころである場合、円筒ころである場合および凸面ころである場合を含むが、転動体がころである場合、転動体が円錐ころであると好ましい。
【００７９】
尚、上記第２密封部材９は、内輪４と外輪３との間における軸方向の上記他端部側の開口付近に配設され、ブレーキディスク取付用フランジ１０がない側に配設されているから、内輪４にスリンガ５０を、外輪３にシール部材４８を容易に取り付けることができる。
【００８０】
図８は、ウォータポンプの密封装置９９周辺の拡大断面図である。
【００８１】
このウォータポンプは、ポンプ軸１００と、メカニカルシール１０１と、ポンプハウジング１０２と、外輪１０５と、本発明の密封装置９９とを有している。上記ポンプハウジング１０２は、ポンプハウジング１０２を貫通する水抜き穴１０７を有している。また、外輪１０５は、ポンプハウジング１０２の内周面に内嵌されて固定されている。
【００８２】
上記ポンプ軸１００、外輪１０５、および、密封装置９９は、ウォータポンプのウォータポンプ軸受の一部をなしている。すなわち、図示しないが、外輪１０５の内周面の図８に矢印ａで示す側には、軸方向に間隔をおいて、密封装置９９に近い方から、深溝型の軌道溝と、円筒軌道面が形成されている一方、ポンプ軸１００の外周面の図８に矢印ａで示す側には、軸方向に間隔をおいて、密封装置９９に近い方から、深溝型の軌道溝と、円筒軌道面が形成されている。
【００８３】
外輪１０５の上記軌道溝と、ポンプ軸１００の上記軌道溝との間には、保持器に保持された状態の玉が、周方向に所定の間隔を隔てられて複数配置されている。また、外輪１０５の上記円筒軌道面と、ポンプ軸１００の上記円筒軌道面との間には、保持器に保持された状態の円筒ころが、周方向に所定の間隔を隔てられて複数配置されている。
【００８４】
上記密封装置９９の芯金部１５０は、外輪１０５の内周面に内嵌されて固定されている一方、密封装置９９のスリンガ１５２は、ポンプ軸１００の外周面に外嵌されて固定されている。上記密封装置９９は、外輪１０５と、ポンプ軸１００との間における、メカニカルシール１０１側の開口を密封している。このようにして、メカニカルシール１０１から矢印ｂで示す方向に漏れだしたポンプ室の冷却水が、ウォータポンプ軸受の内部に入ることを防止している。
【００８５】
上記漏れだしたポンプ室の冷却水は、ポンプハウジング１０２に形成された水抜き穴１０７を介して矢印ｃに示す方向に外部に確実に排出されるようになっている。尚、図８において、１１１は、メカニカルシール１０１のゴムスリーブを示し、１１０は、メカニカルシール１０１のコイルバネを示している。
【００８６】
図８に示すウォータポンプのように、本発明の密封装置９９を、ウォータポンプに設置すると、ウォータポンプにおけるウォータポンプ軸受のトルクを低減できて、ウォータポンプを有する自動車等の燃費を低減できる。また、上記密封装置９９においてアキシアルリップの異常摩耗を防止できる。また、上記密封装置９９における昇温や異音の発生を抑制でき、アキシアルリップのフランジ部に対する接触面圧が、長期に亘って過度に高くなることを防止できる。
【００８７】
尚、上記実施例では、本発明の密封装置を、車輪用転がり軸受や、ウォータポンプに設定した。しかしながら、本発明の密封装置を、軌道面を有する軌道部材が外輪および内輪である転がり軸受において、上記外輪と上記内輪との間の少なくとも一方の開口を密封するように配置しても良い。また、本発明の密封装置を、モータにおける、ロータ部材とステータ部材との間に配設する転がり軸受に設置しても良く、この場合、モータの運転コストを低減することができる。本発明の密封装置は、内周面を有する第１部材と、外周面を有する第２部材とを有し、かつ、上記第１部材と、上記第２部材とが、上記第１部材の内周面の径方向に対向する装置であれば、如何なる機械にも設置することができる。そして、本発明の密封装置を設置した機械の運転コストを低減することができ、その機械の密封装置のアキシアルリップの摩耗を格段に抑制できる。
【図面の簡単な説明】
【００８８】
【図１】本発明の一実施形態の車輪用転がり軸受の軸方向の断面図である。
【図２】上記車輪用転がり軸受の第１密封装置の構造を、詳細に説明する断面図である。
【図３】上記車輪用転がり軸受の第１密封装置の構造を、詳細に説明する断面図である。
【図４】上記第１密封装置の第１アキシアルリップの動作を模式的に示す図である。
【図５】上記第１密封装置の第１アキシアルリップの動作を模式的に示す図である。
【図６】比較品の密封装置および上記実施形態の密封装置の夫々において、各リップが非摩耗な状態になっている場合において、各リップの全接触荷重に対する接触荷重の比と、比較品の密封装置の全接触荷重に対する上記実施形態の密封装置の全接触荷重の比を示す図である。
【図７】上記比較品の密封装置と、上記実施形態の密封装置の夫々において、一実験例における、回転数と回転トルクとの関係を示す図である。
【図８】ウォータポンプの密封装置周辺の拡大断面図である。
【図９】比較品の密封装置の軸方向の断面図である。
【符号の説明】
【００８９】
２  内軸
３  外輪
４  内輪
５  第１の玉
６  第２の玉
８  第１密封装置
９  第２密封装置
４８  シール部材
５０,１５０  芯金部材
５１  弾性部材
５２,１５２  スリンガ
５３  基部
５４  第１アキシアルリップ
５５  第２アキシアルリップ
５６  第１部分
５７  第２部分
５８  第１部分の径方向の内方の表面
５９  第２部分の径方向の内方の表面
６０  芯金部材の固定部
６１  径方向延在部
６５  スリンガの固定部
６６  フランジ部
８０  第１アキシアルリップの突起部
８１  第２アキシアルリップの突起部
９９  密封装置
【図１】
2010281386.tif 000003
【図２】
2010281386.tif 000004
【図３】
2010281386.tif 000005
【図４】
2010281386.tif 000006
【図５】
2010281386.tif 000007
【図６】
2010281386.tif 000008
【図７】
2010281386.tif 000009
【図８】
2010281386.tif 000010
【図９】
2010281386.tif 000011